(57)【特許請求の範囲】
【請求項１】
単列又は複数列を並列に配置して構成した荷物室搬送路の両側又は片側に格納棚を並べて配列し、格納棚群を荷物室搬送路の方向に複数の区画に分割すると共に、それらを単層階又は上下の多層階に配置し、それぞれ分割した区画に荷物室搬送路に沿って移動自在な荷物室搬送台車を配備する自動倉庫であって、
夫々の区画の間及び必要に応じて外側に面する端部に、入出庫搬送路を荷物室搬送路と直交方向に配置し、各入出庫搬送路には必要に応じて外部との間で搬送物を入出庫させる移載装置を隣接させると共に、入出庫搬送台車が入出庫搬送路に沿って移動自在に配備され、入出庫における搬送物の移動の際に、荷物室搬送台車と入出庫搬送台車が直交方向で隣接停止し、搭載した搬送物を荷物室搬送台車と入出庫搬送台車の間で移載することで水平搬送できるようにしたことを特徴とする自動倉庫。
【請求項２】
搬送物を分割した区画をまたがって水平搬送する時、区画間に配置した入出庫搬送台車を中継して搭載した搬送物を荷物室搬送台車と入出庫搬送台車の間で移載することによりリレー型式で水平搬送することを特徴とする請求項１に記載の自動倉庫。
【請求項３】
請求項１に記載の自動倉庫における、入出庫搬送路のうち少なくとも１本を残して他の入出庫搬送路を取り去り、搬送物を分割した区画をまたがって水平搬送する時、入出庫搬送台車を中継して、又は荷物室搬送台車間で直接移載することによりリレー型式で水平搬送することを特徴とする自動倉庫。
【請求項４】
搬送物が搬送媒体に搭載された状態で搬送される方式の自動倉庫であって、荷物室搬送台車と入出庫搬送台車の両方又はどちらか一方を搬送媒体が複数搭載できる構造とし、搬送物を台車間移載する際に搬送物搭載の搬送媒体と空の搬送媒体を交換移載することを特徴とする請求項１乃至３のいずれか１項に記載の自動倉庫。
【請求項５】
前記請求項１乃至４に記載の荷物室搬送台車と入出庫搬送台車による水平搬送方式で構成された台車式搬送装置。
【発明の詳細な説明】
【技術分野】
【０００１】
本発明は、搬送台車と格納棚により構成された自動倉庫と、台車式搬送装置に関するものである。
【背景技術】
【０００２】
自動倉庫にはスタッカークレーンによる搬送方式と、搬送台車と昇降リフトを組み合わせた搬送方式に大別できる。
【０００３】
前者のスタッカークレーン方式自動倉庫では、搬送路とその両側に配置された格納棚を１レーンとし、格納棚が複数階層で構成され、１レーンを１台のスタッカークレーンで水平と垂直を搬送して格納棚に収納、取り出しができるという特徴がある（例えば、特許文献１参照）。
【０００４】
また搬送台車と昇降リフトを組み合わせた方式では、１レーンの階層毎に搬送台車を配置し、端部で昇降リフトへ接続する搬送が特徴である（例えば、特許文献２参照）。
【先行技術文献】
【特許文献】
【０００５】
【特許文献１】特開２０１１−１１８８３号公報
【特許文献２】特開平６−３１３３７３
【発明の概要】
【発明が解決しようとする課題】
【０００６】
ところで、特許文献１のようなスタッカークレーン方式自動倉庫では、収納棚は多く取ることができるが、１台のスタッカークレーンが水平と垂直に移動して搬送物を搬送するので、その分、搬送物の入出庫に時間がかかるという問題があった。
【０００７】
また、特許文献２のような搬送台車と昇降リフトを組み合わせた方式では、長さ方向が長い自動倉庫の場合、１レーンの長さが長くなるため、搬送台車の走行時間が長くなり、入出庫に関わる時間も長くなる課題があった。
【０００８】
さらに、当該自動倉庫で長さ方向端部に一箇所配置した入出庫場では、入出庫場から搬送物の格納場所までの距離も長く、格納場所からの倉庫外への搬送にも長時間を要するという課題があった。
【０００９】
また、搬送物がパレットやコンテナと言った搬送媒体に搭載され搬送格納される方式の自動倉庫では、出庫時に出庫後の空になったパレット等搬送媒体を搬送保管、また入庫時には空パレット等搬送媒体を取り出し搬送する工程が必要で入出庫時間を増長させ、あるいは専用のシステムを設けるとコストが増加する課題があった。
【００１０】
この発明は、自動倉庫において、搬送物の収納個数が膨大なるに従って搬送台車が走行するレーンも長くなってしまい、搬送台車の走行時間が増大し、入出庫に時間を要するといった課題を解決した自動倉庫を提供するものである。
【課題を解決するための手段】
【００１１】
上記の課題を解決するために、この発明は、単列又は複数列を並列に配置して構成した荷物室搬送路の両側又は片側に格納棚を並べて配列し、格納棚群を荷物室搬送路の方向に複数の区画に分割すると共に、それらを単層階又は上下の多層階に配置し、それぞれ分割した区画に荷物室搬送路に沿って移動自在な荷物室搬送台車を配備する自動倉庫であって、夫々の区画の間及び必要に応じて外側に面する端部に、入出庫搬送路を荷物室搬送路と直交方向に配置し、各入出庫搬送路には必要に応じて外部との間で搬送物を入出庫させる移載装置を隣接させると共に、入出庫搬送台車が入出庫搬送路に沿って移動自在に配備され、入出庫における搬送物の移動の際に、荷物室搬送台車と入出庫搬送台車が直交方向で隣接停止し、搭載した搬送物を荷物室搬送台車と入出庫搬送台車の間で移載することで水平搬送できるようにしたことを特徴とする自動倉庫である。
【００１２】
請求項２の発明は、上記請求項１に記載の自動倉庫において、搬送物を分割した区画をまたがって水平搬送する時、区画間に配置した入出庫搬送台車を中継して搭載した搬送物を荷物室搬送台車と入出庫搬送台車の間で移載することによりリレー型式で水平搬送することを特徴とする自動倉庫である。
【００１３】
請求項３の発明は、請求項１に記載の自動倉庫における、入出庫搬送路のうち少なくとも１本を残して他の入出庫搬送路を取り去り、搬送物を分割した区画をまたがって水平搬送する時、入出庫搬送台車を中継して、又は荷物室搬送台車間で直接移載することによりリレー型式で水平搬送することを特徴とする自動倉庫である。
【００１４】
請求項４の発明は、請求項１乃至３のいずれか１項に記載の自動倉庫において、搬送物が搬送媒体に搭載された状態で搬送される方式の自動倉庫であって、荷物室搬送台車と入出庫搬送台車の両方又はどちらか一方を搬送媒体が複数搭載できる構造とし、搬送物を台車間移載する際に搬送物搭載の搬送媒体と空の搬送媒体を交換移載することを特徴とする自動倉庫である。
【００１５】
請求項５の発明は、前記請求項１乃至４に記載の荷物室搬送台車と入出庫搬送台車による水平搬送方式で構成された台車式搬送装置である。
【００１６】
本発明は、自動倉庫の台車走行方向の長い格納棚群を複数の区画に分割し、分割した夫々の区画に荷物室搬送路を走行する荷物室搬送台車を配備すると共に、夫々の区画の間と、必要に応じて終端にも入出庫搬送路を荷物室搬送路と直交方向に配置し、この入出庫搬送路に入出庫搬送台車を配備し、入出庫の際には、荷物室搬送台車と入出庫搬送台車が直交方向で隣接停止し、搭載した搬送物を台車間移載することで入出庫搬送路に隣接設置した移載装置への搬送が可能になるものである。
【００１７】
この発明における入出庫搬送路は、区切られた区画の間と荷物室搬送路全体の（外部に面する）両端部に荷物室搬送路と直交して設けられるが、端部側については必ずしも入出庫搬送路を設ける必要はなく、一端側又は両側において設置を省略しても良く、その場合は区画間の入出庫搬送路で代用することができる。
【００１８】
この発明における移載装置とは、外部から搬送物を自動倉庫に搬入又は搬出する部分にて入出庫搬送路上の入出庫搬送台車に搬送物を受け渡しや受け入れを行う装置のことで、例えば自動倉庫が多層階で構成されたり単層階であっても地上との段差がある場合には昇降機能を有する入出庫リフトが適しており、該入出庫リフトが搬送物を各階の入出庫搬送台車まで昇降動させて受け渡したり受け取るが、倉庫が単層階で地上床面に設置する場合は入出庫リフトは不要で単に入出庫場となる。移載装置としては、その他、コンベヤ、リフト、クレーン等種々の装置が考えられる。
【発明の効果】
【００１９】
以上のように、この発明によれば、荷物室搬送路の長手方向を分割区画し、夫々の区画端に直交方向に入出庫用搬送路と入出庫リフトを配置することで、１本のレーンが長くなりすぎず、入出庫場から搬送物の格納場所までの距離が長く搬送に長時間を要するという課題が解決できる。
【００２０】
また、自動倉庫で格納棚区画から当該区画を超えて遠方の入出庫リフトで入出庫しなければならない場合、夫々の区画の荷物室搬送台車は区画間に直交方向に配置した入出庫搬送台車を中継して搭載した搬送物を台車間移載することにより各区画をリレー型式で水平搬送することになる。
【００２１】
例えば、１から３区の区画で構成された自動倉庫で１区の入出庫リフトから３区の格納棚へ入庫する場合、１区の入出庫場から入庫された荷物を１区の入出庫リフトと入出庫搬送台車で搬送し、１区の荷物室搬送台車→２区の入出庫搬送台車→２区の荷物室搬送台車→３区の入出庫搬送台車→３区の荷物室搬送台車へリレー式に搬送物を台車間移載して搬送し指定された格納棚へ格納する。
【００２２】
入庫を連続して行う場合、３区画を１レーンとした従来の方式では１台の荷物室搬送台車が１区から３区まで走行して３区にある格納棚へ荷物を搬送・格納するため、荷物室搬送台車が往復し搭載荷物を移載格納している間は次の入庫作業ができない状態となる。
【００２３】
本発明では、夫々の区画の荷物室搬送台車は自区画端で入出庫搬送台車を経由して隣接区画の荷物室搬送台車へ搭載荷物を移載するため、移載後は次の入庫荷物受取りのため移動し入庫作業ができるため連続して入庫あるいは出庫する場合のタクトタイム（連続して入出庫する時の間隔時間）を短くすることができる。
【００２４】
また、入出庫リフト等の移載装置を夫々の区画に配置する必要がない自動倉庫では、移載装置が隣接しない入出庫搬送路としたり、入出庫搬送路を取り去り、夫々の区画間に設けた入出庫搬送路の搬送台車を中継して、又は、夫々の区画の荷物室搬送台車が隣接停止し搭載した搬送物を台車間移載することによりリレー型式で水平搬送することでタクトタイムを短くすることができる。
【００２５】
格納する荷物をパレットあるいはコンテナと言った搬送媒体を使用する自動倉庫では、荷物室搬送台車と入出庫搬送台車の両方あるいはどちらか一方をダブルデッキ式とすることで搬送物を台車間移載する際に搬送物搭載パレット（搬送媒体）と空パレット（搬送媒体）を交換移載することで空パレット（搬送媒体）の回収時間および専用回収保管設備を削減することができ、出庫時の空パレット等搬送媒体の搬送保管と、入庫時の空パレット等搬送媒体の搬送するための入出庫時間を増長させる課題解決できる。
【図面の簡単な説明】
【００２６】
【図１】この発明の自動倉庫の構造の全体配置を示す平面図である。
【図２】第１区画端部の詳細を示す平面図である。
【図３】区画の境部の詳細を示す平面図である。
【図４】入出庫リフト付近を示すもので（Ａ）は平面図、（Ｂ）は正面図、（Ｃ）は側面図である。
【図５】入出庫リフト用着床装置から入出庫搬送台車への移載手順を示したもので（Ａ）は平面図、（Ｂ）は正面図である。
【図６】入出庫搬送台車から入出庫リフト用着床装置への移載手順を示したもので（Ａ）は平面図、（Ｂ）は正面図である。
【図７】荷物室搬送台車から入出庫搬送台車への移載手順を示したもので（Ａ）は平面図、（Ｂ）は正面図である。
【図８】入出庫搬送台車から荷物室搬送台車への移載手順を示したもので（Ａ）は平面図、（Ｂ）は正面図である。
【図９】荷物室搬送台車から格納棚への移載手順を示したもので（Ａ）は平面図、（Ｂ）は側面図である。
【図１０】格納棚から荷物室搬送台車への移載手順を示したもので（Ａ）は平面図、（Ｂ）は側面図である。
【図１１】区画を超えて移載する場合の手順を（ａ）〜（ｆ）の順に示す平面図である。
【図１２】本発明と従来例の入庫時の作業工程の経過時間を比較したシミュレーション図である。
【発明を実施するための形態】
【００２７】
以下、この発明の実施の形態を添付図面に基づいて説明する。
１）図１に実施形態の全体配置図を、図２は第１区画端部の詳細図、また図３は区画境の詳細図を示したものであり、本実施形態では自動倉庫の長編方向を区画Ｉ、II、III、IVの４区画に分割すると共に、短辺方向に荷物室搬送路１を４レーン配置している。
【００２８】
荷物室搬送路１は一対のＨ鋼を等間隔を保って直線状に並べて構成され、それぞれの荷物室搬送路１には荷物室搬送台車２が移動自在に配置されている。なお、１ａは荷物室搬送路１の中心線である。
【００２９】
区画端と区画の境界には入出庫搬送路４を荷物室搬送路１と直交方向に配置している。入出庫搬送路４も一対のＨ鋼を等間隔を保って直線状に並べて構成され、それぞれの入出庫搬送路４には入出庫搬送台車５が移動自在に配置されている。なお、４ａは荷物室搬送路１の中心線である。また、外部との搬送物のやり取りを行う移載装置としての入出庫リフト３が入出庫搬送路４と隣接して配置されている。
【００３０】
荷物室搬送路１の走路両側には搬送物９を搭載する搬送媒体であるパレット６を格納する格納棚７を配置しているが、自動倉庫建屋の建屋柱８部は格納棚７を配置できないので省いた配置となっている。
【００３１】
本実施形態の自動倉庫では、４区画で荷物室搬送路１を並列に４レーン配置した構成とし、単層階として２階に設置しているが、多層階に設置することや、その区画数やレーン数を増やすことも可能である。また、格納棚７は荷物室搬送路１の片側のみ配置することもできる。
【００３２】
更に、本実施形態の自動倉庫では、入出庫搬送路４を両端及び各区画の間の５箇所に設けているが、自動倉庫の両端部（本実施形態での区画（I）、（IV）の外側）の入出庫搬送路４については、いずれか片方又は両方を省略して、荷物室搬送路１の一方端を行き止まり状態にしてもよい。また、移載装置である入出庫リフト３についても、場合によっては（出荷バースの位置等の理由）全ての入出庫搬送路に設けなくともよい。
【００３３】
［入庫動作］
次に、搬送物の入庫時の動作について、図４乃至図１０に基づいて説明する。
図４は、入出庫リフト３付近を示すもので、入庫する搬送物９を入出庫リフト用着床装置１０のパレット６へ搭載し入庫を開始する、なお入庫は全ての入出庫リフト３で行える。この入出庫リフト３は、入出庫階（１階）と荷物室階（２階）を垂直搬送するものであり、当該実施形態では荷物室階が２階のみの単層階であるが、荷物室階が複数階であっても入出庫リフト３の上下方向の昇降距離を延ばすことで適用可能となる。
【００３４】
入庫時は搬送物９に添付されている固体識別コード等の識別媒体（図示せず）を入出庫リフト３に設置してある操作盤のリーダ（図示せず）により自動的に読み取るか又は操作員が手入力して自動倉庫制御システムに認識させる。
【００３５】
入出庫リフト用着床装置１０は入出庫リフト３の下降位置が床面より高く床面との段差が生じる場合に設置され、搬送物を少し昇降させて入出庫を楽にする昇降補助装置であり、入出庫リフト３が床面ピットで掘り下げて設置できる場合は不要である。
【００３６】
入出庫リフト用着床装置１０のパレット６に搬送物９を搭載し、操作盤を起動すると入出庫リフト用着床装置１０は入出庫リフト３の下降位置まで上昇し、内装されたチエーンコンベヤ式の横送り搬送機１０ａで搬送物９を搭載したパレット６を入出庫リフト３の搬機へ移載する。なお、横送り搬送機１０ａはチエーン式以外にローラー式等他方式の搬送機構でも可能である。
【００３７】
入出庫リフト３の搬機にはローラ式の横送り搬送機３ａが内装されていて、入出庫リフト用着床装置１０から横送り搬送されてきた搬送物９を搭載したパレット６を連続して搬送することができ、搬送が完了すると入出庫リフト３は上昇し自動倉庫の２階荷物室階へ到着する。この実施形態では２階だけの単層階であるが、多層階の荷物室を備えた自動倉庫とすることも可能であり、その場合は自動倉庫制御システムが指定した階へ上昇移動する。なお、入出庫リフト３の搬機に設置しているローラー式の横送り搬送機３ａはチエーン式等他方式の搬送機構でも可能である。
【００３８】
自動倉庫の２階荷物室階では入出庫リフト３の前に入出庫搬送路４が設置されており、入出庫搬送台車５が待機した状態で上昇してきた入出庫リフト３より搬送物９搭載パレット６Ａを横送り移載する。入出庫搬送台車５はパレット６Ａを同時に２枚搭載することができるダブルデッキ構造で、パレットを搭載する搭載部にはパレットを横送り搬送できるローラー式の横送り搬送機５ａが設置されており、実施形態では入出庫リフト３位置が入出庫搬送路４に並行して配置されているため、上記横送り搬送機５ａは入出庫搬送路４に直交する方向に配置されている。
【００３９】
なお、本実施形態の入出庫搬送台車５では、その高さに制約があるため平面式のダブルデッキとしているが、制約がない場合は上下２段式のダブルデッキ構造とすることができる。
【００４０】
図５は上記入出庫リフト用着床装置１０から入出庫リフト３により上昇し入出庫搬送台車５への搬送物９搭載パレット６Ａの移載手順を示したものである。
【００４１】
搬送物９が搭載されたパレット６Ａの入出庫搬送台車５への移載が完了すると入出庫搬送台車５はもう一方に搭載された空パレット６Ｂが入出庫リフト３に正対する位置まで小移動し空パレット６Ｂを入出庫リフト３へ移載する。
【００４２】
このようにして入出庫リフト３と入出庫搬送台車５の搬送物９搭載パレット６Ａと空パレット６Ｂの交換移載することで、短時間に搬送物９の移載送りと空パレット６Ｂの回収が行える。
【００４３】
実施形態では入出庫リフト３はシングルデッキの搬機であるが、入出庫搬送台車５と同じダブルデッキ方式とすることで搬送物９搭載パレット６Ａの移載送りと空パレット６Ｂの移載回収が同時に行えるシステムとなり、更なる時間短縮が可能となる。
【００４４】
図６は、上記入出庫リフト３から入出庫搬送台車５へ搬送物９搭載パレット６を移載送りし、入出庫搬送台車５に搭載してある空パレット６を入出庫リフト３へ移載回収する手順を示したものである。
【００４５】
搬送物９を搭載したパレット６Ａを移載され受け取った入出庫搬送台車５は、自動倉庫制御システムが指示する荷物室搬送路１へ走行移動する。一方空パレット６Ｂを移載回収した入出庫リフト３は、空パレット６Ｂを搭載して図５と逆手順で下降して空パレット６Ｂを入出庫リフト着床装置１０へ搬送し、次の入庫作業工程に進む。
【００４６】
なお、本実施形態では入出庫搬送台車５の走行システムは、入出庫搬送路４の側面に敷設した図示していない給電トロリーから受電し、また制御信号は光伝送による双方向通信システムを使用した自律型自走式台車であるが、バッテリーによる給電方式や無線通信方式の自律自走式台車あるいはチエーンやワイヤーロープ式の牽引等他の方式でも可能である。
【００４７】
次に、図７に示すように、自動倉庫制御システムが指示する荷物室搬送路１では、荷物室搬送台車２が空パレット６Ｂを搭載して待機している。到着した入出庫搬送台車５はダブルデッキの何も搭載していない側のデッキが荷物室搬送台車２と正対する位置で停止する。荷物室搬送台車２のパレットの搭載部には荷物室搬送路１進行方向に横送り搬送できるローラー式搬送機２ａが設置されており、搭載した空パレット６Ｂを横送り搬送して到着した入出庫搬送台車５に移載する。
【００４８】
更に、図８に示すように、荷物室搬送台車２から空パレット６Ｂを移載された入出庫搬送台車５はもう一方のデッキに搭載された搬送物９搭載のパレット６Ａが荷物室搬送台車２に正対する位置まで小移動し、搬送物９搭載のパレット６Ａを横送り搬送して空になった荷物室搬送台車２へ移載搭載され、搬送物９搭載のパレット６Ａと空パレット６Ｂがほぼ同時に交換移載される。入出庫搬送台車５は空パレット６Ｂを搭載して入出庫リフト３へ戻り次の入庫工程に進む。
【００４９】
また、本実施形態では荷物室搬送台車２はシングルデッキ方式であるが、入出庫搬送台車５と同じように荷物室搬送台車２もダブルデッキ方式とすることで、搬送物９搭載のパレット６Ａと空パレット６Ｂを同時交換移載することが可能となる。
【００５０】
なお、本実施形態では荷物室搬送台車２の走行システムは、荷物室搬送路１の側面に敷設した図示しない給電トロリーから受電し、また制御信号は光伝送による双方向通信システムを使用した自律型自走式台車であるが、バッテリー充電による給電方式や無線通信方式の自律自走式台車やチエーンおよびワイヤーロープによる牽引等他の方式でも可能である。
【００５１】
次に図９に示すように、搬送物９搭載パレット６Ａを移載搭載した荷物室搬送台車２は、自動倉庫制御システムが指示した荷物格納棚７へ走行移動し、搬送物９搭載パレット６Ａを同格納棚７へ移載格納する。
【００５２】
荷物室搬送台車２のパレット６搭載部には、荷物室搬送路１進行方向に横送り搬送できる前記ローラー式搬送機２ａが設置されているが、更に同部には荷物室搬送路１に直交する方向に横送り搬送できる昇降式のローラー式搬送機２ｂも設置されており、指定された格納棚７へ移動した荷物室搬送台車２は荷物室搬送路１と直角方向のローラー式搬送機２ｂを上昇させて搬送物９搭載のパレット６Ａを格納棚７に移載格納する。格納棚７には搬送方向に移動可能なフリーローラーがパレット幅方向両側２箇所に設置されており、荷物室搬送台車２の前述搬送機２ｂによりに搬送物９搭載パレット６が横送り搬送される。
【００５３】
格納棚７のパレット支持部は駆動力を持たないフリーローラーであるため、荷物室搬送台車２のローラー式搬送機２ｂではパレット６を最後まで移動させることは困難であり、ローラー式搬送機２ｂには格納棚７側に少し飛び出す押し込み（および引き出し）機構が設置されている。また、格納棚７に格納されたパレット６が搬送台車の走行振動や地震により自然移動して落下や荷物室搬送台車２との衝突等の災害を防止するため、格納棚７には図示しないロック機構を設置し、施錠、解錠する機構が設置されている。
【００５４】
次に、図１０に示すように、搬送物９搭載パレット６Ａを指定された格納棚７へ移載格納した荷物室搬送台車２は、次の入庫の準備で自動倉庫制御システムが指示した格納棚７へ移動し格納されている空パレット６Ｂを引出し搭載した後、荷物室搬送路１と入出庫搬送路４の接続点へ移動して次の入庫準備に備える。
【００５５】
［出庫動作］
出庫時操作は全ての場所にある任意の入出庫リフト３で行える。入出庫リフト３の操作盤に出庫要求品の識別コード等を入力して行う、実施形態ではトラックバース番号と出荷便名で識別している。
【００５６】
トラックバース１１近傍の出荷入出庫リフト３の操作盤より出庫指令を入力することで、自動倉庫の格納棚７に格納されている搬送物９搭載パレット６Ａが順次出庫される。
【００５７】
自動倉庫制御システムの指令により指定された荷物室区画の荷物室搬送台車２が指定格納棚７へ移動し格納されている搬送物９搭載パレット６Ａを引出し移載する。引出し移載手順は図９、図１０で示した格納手順の逆動作により実施される。
【００５８】
搬送物９搭載パレット６Ａを搭載した荷物室搬送台車２は、自動倉庫制御システムの指令により指定された入出庫搬送路４へ走行移動する。指定入出庫搬送路４では入出庫搬送台車５が空パレット６Ｂをダブルデッキの一方のデッキに搭載して待機しており、前記図７、図８で示した受け入れ、受け渡し動作の逆手順により、搬送物９搭載パレット６Ａを入出庫搬送台車５に移載し、交換に空パレット６Ｂを荷物室搬送台車２が受け取る。荷物室搬送台車２は出庫して来た格納棚７へ戻り、搭載している空パレット６Ｂを空になった格納棚７に移載格納し、次の出庫指令がある場合指定された格納棚７へ移動し、出庫作業を実行し指令がない場合はホームポジションへ移動して終了する。
【００５９】
（５）搬送物９搭載パレット６Ａを搭載した入出庫搬送台車５は、入出庫リフト３へ移動し、前記した受け入れ、受け渡し動作の逆手順により、入出庫リフト３から空パレット６Ｂを移載受取り、小移動し入出庫搬送台車５のもう一方のデッキに搭載している搬送物９搭載パレット６Ａを入出庫リフト３へ移載した後、自動倉庫制御システムが指定する荷物室搬送路１へ移動する。
【００６０】
搬送物９搭載パレット６を搭載した入出庫リフト３は、入出庫場である１階へ下降し、前記した受け入れ、受け渡し動作の逆手順により、入出庫リフト３に搭載されている搬送物９搭載パレット６を入出庫リフト用着床装置１０へ横送り搬送した後、入出庫リフト用着床装置１０が床面と同じレベルまで下降して出庫の自動運転は完了する。
【００６１】
出庫要求者は搬送物９搭載パレット６Ａから搬送物９だけを取り出してトラックバース１１へ搬送する。この時に連続出庫指令が出されている場合、入出庫リフト用着床装置１０は空パレット６Ｂを上昇し入出庫リフト３へ横送り移載し、次の出庫工程を実行する。
【００６２】
［荷物室区画外への入出庫］
本考案の自動倉庫は入出庫リフト３を多数配置でき、全ての入出庫リフト３から入出庫できることが特徴であり、以上の実施形態の説明では、当該荷物室区画内での入出庫リフトによる動作説明をしたが、荷物室区画を越えて越境搬送して出庫する動作を説明する。
【００６３】
例えば、第１区画（I）の格納棚７に格納されている搬送物９搭載パレット６Ａを、第４区画（IV）端の入出庫リフト３へ出庫する場合や、その区画に隣接する区画境にある搬送路が、入出庫リフト３と接続しない搬送路の場合にも区画境を超えた搬送手順が必要となる。
【００６４】
以下、その手順を図１１により説明する。なお、図１１では、図１における第１区画（I）と第２区画（II）の境の入出庫搬送路４を入出庫リフトと接続していない入出庫搬送路１２に代えて、また入出庫搬送台車５を入出庫搬送台車１３に代えて説明する。また、搬送されるパレットについては、各パレットの符号から引いた点線にてその位置を示す。
【００６５】
まず、第１区画（I）の荷物室搬送台車２により自動倉庫制御システムが指定する指定格納棚７から搬送物９搭載パレット６Ａを引出し搭載する。搬送物９搭載パレット６Ａを搭載した荷物室搬送台車２は、同搬送路１を走行して第１区画（I）と第２区画（II）の境界に設置した入出庫搬送路１２の境界で停止する。入出庫搬送路１２では自動倉庫制御システムにより指令された入出庫搬送台車１３がダブルデッキの一方のデッキ上に空パレット６Ｂを搭載して待機する（図１１（ａ））。
【００６６】
更に、自動倉庫制御システムにより指令された第２区画（II）の荷物室搬送台車１４も、第１区画（I）と第２区画（II）の境界に設置した入出庫搬送路１２の境界で空パレット１５Ｂを搭載して待機する。
【００６７】
第１区画（I）の荷物室搬送台車２に搭載した搬送物９搭載パレット６Ａを入出庫搬送台車１３の無搭載の空デッキへ横送り搬送移載する（図１１（ｂ））。搬送物９搭載パレット６Ａを搭載した入出庫搬送台車１３は、空パレット６Ｂを搭載した一方のデッキが第１区画（I）の荷物室搬送台車２に正対するように小移動し、搭載している空パレット６Ｂを第１区画の荷物室搬送台車２に移載する（図１１（ｃ））。
【００６８】
同位置にて、第２区画（II）の荷物室搬送台車１４に搭載されている空パレット１５Ｂを入出庫搬送台車１３に移載する（図１１（ｄ））。なお上記図１１（ｃ）工程と本項工程を同時進行で実施すれば時間短縮が可能である。
【００６９】
入出庫搬送台車１３は、搬送物９搭載パレット６Ａが第２区画（II）の荷物室搬送台車１４に正対する位置まで小移動し（図１１（ｅ））、搬送物９搭載パレット６Ａを第２区画（II）の荷物室搬送台車１４に移載搭載する（図１１（ｆ））。
【００７０】
搬送物９搭載パレット６Ａを受け取った第２区画（II）の荷物室搬送台車１４は、第３区画との境界に位置する入出庫搬送路境界まで走行して、上記図１１（ａ）項から（ｆ）項と同じ手順により搬送物９搭載パレット６Ａを第３区画（III）の荷物室搬送台車に移載する。
【００７１】
上記工程を繰り返し第４区画（IV）の荷物室搬送台車から第４区画（IV）端の入出庫搬送台車５へ、図７、図８の説明と同じ手順にて移載し、続けて図５、図６の説明と同じ手順にて第４区画（IV）の入出庫搬送台車５から同区画端の入出庫リフト３へ移載し同リフト出庫場へ出庫することができる。
【００７２】
［他の実施形態］
（１）本実施形態では、単層階に自動倉庫を設置し、出荷区分に仕分けされた搬送物を１階の入出庫リフトより入庫しておき、出荷のタイミングで出荷区分毎の搬送物を１階の出荷場に連続出庫し出荷用トラックバースへ搬送する自動倉庫であったが、他の実施形態として多層階の自動倉庫とし、上層階の仕分け階より仕分けされた搬送物を上層階から入庫しておき、１階の入出庫場より出庫することも可能であり、より合理化を図ることも可能である。
【００７３】
本実施形態では、搬送物はパレットに搭載して搬送、格納しているが、他の実施形態としてコンテナのような立体系の搬送媒体を使用することも可能である。
また、パレットやコンテナのような搬送媒体を使用しないで、入出庫リフトおよび入出庫搬送台車、荷物室搬送台車、格納棚のパレット搭載部をスラットコンベアのような搬送要素を使用して構成することも可能でありパレットやコンテナの様な搬送媒体を使用せずに搬送物を直接取り扱うこともできる。
【実施例】
【００７４】
図１２は入庫時の作業工程をシミュレーションしたもので、上図（Ａ）に本発明の乗継ぎ搬送による連続入庫工程を、下図（Ｂ）に従来方式である１台車の往復搬送による連続入庫工程を示しその作業時間を同じ条件で比較したものである。
【００７５】
シミュレーション条件は、搬送距離：５０×３区画＝１５０ｍ、荷物室搬送台車走行速度：１．５ｍ／ｓｅｃ、入出庫搬送台車からの移載時間：１０ｓｅｃ、荷物室搬送台車間移送時間：２０ｓｅｃ、入庫時間：１０ｓｅｃ、とした。
【００７６】
従来方式の１つの台車による往復搬送では、乗り継ぎによる時間を省略できるため、１番目の入庫時間は短いが、２番目以降の入庫時間は搬送台車待ち時間ロスが生じるため長くなる。
【００７７】
これに対して本発明による搬送台車の乗継ぎ搬送では、１番目の入庫時間は乗継ぎ２回の時間が含まれるため長くなるものの、夫々の搬送台車は搬送物を乗継部で後続の搬送台車へ移載すれば次の入庫作業が可能であるため工程ロスが少なく２番目以降の入庫時間は短縮できることになる。
【００７８】
即ち、図１２（Ａ）の本発明において、入出庫搬送台車より入庫搬送物を移載された第１区画の荷物室搬送台車（I）は第１区画の５０ｍを搬送して区画境で第２区画の荷物室搬送台車（II）へ入庫搬送物を移載し戻ってくれば、２番目の入庫搬送物を入出庫搬送台車より移載することができ、入出庫搬送台車の移載待ち時間は８７秒（ａ）となる。
【００７９】
荷物室搬送台車（II）、荷物室搬送台車（III）は同じ要領でそれぞれの区画境で入庫搬送物を後続の搬送台車へ移載し戻ってくれば、次の作業工程に入れるため区画長を短くすることでそれぞれの工程サイクル時間を短くできる。
【００８０】
一方、図１２（Ｂ）の従来方式では、入出庫搬送台車より入庫搬送物を移載された荷物室搬送台車は３区画分の距離１５０ｍを搬送して入庫格納棚へ入庫搬送物を入庫して戻ってくるまで２番目の入庫搬送物を入出庫搬送台車より移載することができず、入出庫搬送台車の移載待ち時間は２１０秒（ｂ）となる。
【００８１】
図１２のシミュレーション結果より、本発明の搬送路を区画分割する方式では、２番目以降の入庫時間は９７秒（ｃ）間隔で実行されるが、従来方式の１台車往復方式では２番目以降の入庫時間は２２０秒（ｄ）間隔で実行されることになり、本発明の効果は１２３秒（５５％）の短縮となる。
【符号の説明】
【００８２】
１、１６  荷物室搬送路
１ａ  荷物室搬送路の中心線
２、１４  荷物室搬送台車
３  入出庫リフト
４、１２  入出庫搬送路
４ａ  入出庫搬送路の中心線
５、１３  入出庫搬送台車
６、１５  パレット
７、１７  格納棚
８  建屋柱
９  搬送物
１０  入出庫リフト用着床装置
１１  トラックバース
【図１】
0006627134.tif 000002
【図２】
0006627134.tif 000003
【図３】
0006627134.tif 000004
【図４】
0006627134.tif 000005
【図５】
0006627134.tif 000006
【図６】
0006627134.tif 000007
【図７】
0006627134.tif 000008
【図８】
0006627134.tif 000009
【図９】
0006627134.tif 000010
【図１０】
0006627134.tif 000011
【図１１】
0006627134.tif 000012
【図１２】
0006627134.tif 000013